(57)【要約】【課題】  本発明は、高価な部品や機構を追加することなく、従来の用紙搬送センサで加熱ロールへの用紙の巻付き状態を検出可能とした定着装置を提供する。【解決手段】  用紙の挟持加圧位置２３から用紙排出方向の用紙搬送路内１４の外側に巻付防止部材１８設け、加熱ロール１２との隙間Ｇ５を管理することにより用紙Ｐが何重にも座屈し用紙センサアーム１９の上部に溜まり、用紙Ｐの座屈力で用紙センサアーム１９が回転して用紙搬送路内１４の用紙搬送センサ１０を押すことにより用紙巻付を検出する。【選択図】  図４
2007328168.tif 000002
【特許請求の範囲】
【請求項１】
用紙を挟持搬送し用紙上のトナーを加熱定着して用紙搬送路に給送する一対の加熱ロールおよび加圧ロールと、前記用紙搬送路内の用紙搬送を検出する用紙搬送センサを有する電子写真装置の定着装置において、
前記用紙搬送路内の用紙を検出する用紙搬送センサを用いて、加熱ロールに巻付いた用紙の有無を検出する事を特徴とする定着装置。
【請求項２】
前記加熱ロールに巻付いた用紙を加熱ロールから剥離する巻付防止部材を用紙出口側の加熱ロール表面近傍に隣接して設け、剥離された巻付き用紙を前記用紙搬送センサで検出することを特徴とする請求項１記載の定着装置。
【請求項３】
前記巻付防止部材の近傍に、剥離された巻付き用紙により変位可能な用紙センサアームを設け、用紙センサアームの変位を用紙搬送センサで検出する位置に配置したことを特徴とする請求項１または２記載の定着装置。
【請求項４】
圧力エアーの吹付けにより加熱ロールから用紙剥離を行なう請求項１、２又は３記載の定着装置。
【請求項５】
請求項１、２、３又は４記載の定着装置を備えた電子写真装置。
【発明の詳細な説明】
【技術分野】
【０００１】
本発明は、巻付き検出装置を有する定着装置およびこれを用いた電子写真装置に関するものである。
【背景技術】
【０００２】
従来の電子写真装置の定着装置を図１、２により説明する。定着装置８は、内部に加熱体Ｈ１を有する加熱ロール１２と、加圧ロール１３及び用紙剥離用エアーノズル１５から構成される。通常の印刷状態においては用紙Ｐの上面に未定着トナーＴ３を転写された用紙が上流側から搬送され、対向する加熱ロール１２と加圧ロール１３に挟持され加圧加熱されてトナー像を定着される。この後、用紙剥離用エアーノズル１５から圧力エアーを用紙先端部に噴きつけ加熱ロール１２から用紙先端Ｐｔを剥離している。しかし、用紙状態が悪い場合や圧力エアーの剥離性能が悪い場合などに、用紙Ｐが剥離されないまま加熱ロール１２に巻き込まれる巻付きが発生する。この場合は用紙搬送路内１４の用紙搬送センサ１０での検出が不可能なため用紙を取り忘れ迅速な用紙ジャム修復に障害となっている。
【０００３】
特許文献1には、加熱回転体への用紙巻付きをカンチレバーと光学的検知手段で検知する構成が開示されているが、構成が複雑となり別に検知手段を設けるためコストアップをもたらすという問題がある。
【０００４】
【特許文献１】特開２００３−１１４５８８号公報
【発明の開示】
【発明が解決しようとする課題】
【０００５】
定着装置内の加熱ロールに用紙が巻付いている状態を簡潔な構成で検出可能にし、加熱ロール巻付発生時に定着装置内に残留している用紙の取り忘れを防止することを目的とする。
【課題を解決するための手段】
【０００６】
上記目的を達成するため、本発明では従来から設けられている用紙搬送路内の用紙搬送センサを利用し、加熱ロールに用紙が巻付いた場合の用紙有を上記センサで検出出来るようにするものであり、定着装置内の加熱ロールに対し一定の隙間を保って用紙排出方向の用紙搬送路の外側に配置された用紙の巻付防止部材を設け、用紙搬送路内の用紙搬送センサをオンさせる。さらに巻付用紙の検出を確実にするために、変位可能な用紙センサアームを用紙搬送センサに対向した用紙搬送路近傍に設けることにより達成される。
【発明の効果】
【０００７】
上記の如く、本発明によれば従来の用紙搬送センサで定着装置内の用紙ジャムと用紙巻付きを検出することが可能になる。また、定着装置内の用紙巻付きの検出が可能になることにより用紙の取り忘れが防止され、迅速なジャム修復が可能となる。
【発明を実施するための最良の形態】
【０００８】
簡潔な構成で信頼性の高い巻付き検出装置を、機械的部品と従来の用紙搬送センサの組み合わせで実現した。
【実施例１】
【０００９】
以下図面に沿って、本発明を具体化した電子写真装置の定着用紙巻付検出装置を採用する定着装置の実施例について説明する。
【００１０】
図１、２に示すように、定着装置８は、内部に加熱体Ｈ１を有する加熱ロール１２と、加圧ロール１３と、用紙剥離用エアーノズル１５から構成されている。通常の印刷状態においては、用紙Ｐの上面に未定着トナーＴ３を転写された用紙Ｐが上流側から搬送されてきて、対向する熱ローラ１２と圧ローラ１３で加圧、加熱することにより定着され用紙剥離用エアーノズル１５から圧力エアーを用紙に噴きつけ加熱ロール１２から用紙Ｐを剥離しているが、用紙状態が悪い場合や用紙剥離用エアーノズル１５の剥離状態が悪い場合などに、当該加熱ロール１２に用紙が巻き込まれてしまった場合には、用紙Ｐが加熱ロール１２に巻き付いた状態を用紙搬送路内１４の用紙搬送センサ１０は認識することが出来ず用紙の取り忘れの原因になっている。
【００１１】
図３、図４に示すように、巻付防止部材１８は加熱ロール１２の加圧位置２３から用紙排出方向の用紙搬送路内１４の外側に、加熱ロール１２との隙間Ｇ５（０．１〜２ｍｍ）を設けるように支柱２０にネジで固定されている。用紙が加熱ロール１２に巻付いてきた場合は、用紙Ｐの用紙先端部Ｐｔが巻付防止部材１８に突き当り用紙先端部Ｐｔは停止するが、加熱ロール１２と加圧ロール１３は慣性によりすぐには止まらず用紙Ｐが搬送されてしまうため用紙Ｐは何重にも座屈しながら巻付防止部材１８の下に用紙Ｐが溜まる。巻付防止部材１８の下部に配置された用紙センサアーム１９の上部に何重にも座屈した用紙Ｐが溜まり、その用紙Ｐの座屈力で用紙センサアーム１９が用紙搬送路内１４に回転して搬送路内１４の用紙搬送センサ１０の先端部１０ｔを押すことにより、用紙搬送センサ１０がオンして定着装置８内の加熱ロール１２に巻付いた用紙の検出が可能になる。
【００１２】
本実施例では、用紙センサアームを用いているが、巻込防止部材の設置位置を調整すれば屈曲された用紙自体で用紙搬送センサを作動することができる。
【図面の簡単な説明】
【００１３】
【図１】従来の電子写真装置の定着装置を示す模式図である。
【図２】従来の電子写真装置の定着装置を示す断面図である。
【図３】本発明の定着装置の巻付防止部材の実施例を示す模式図である。
【図４】本発明の定着装置の巻付防止部材の実施例を示す模式図である。
【符号の説明】
【００１４】
８は定着装置、Ｐは用紙、Ｐｔは用紙先端部、Ｔ３は未定着トナー、Ｈ１は加熱体、Ｇ５は加熱ロールと巻付防止部材の隙間、１０は用紙搬送センサ、１０ｔは用紙搬送センサ先端部、１２は加熱ロール、１３は加圧ロール、１４は搬送路内、１５は用紙剥離用エアーノズル、１８は巻付防止部材、１９は用紙センサアーム、２０は支柱、２３は加圧位置である。
【図１】
2007328168.tif 000003
【図２】
2007328168.tif 000004
【図３】
2007328168.tif 000005
【図４】
2007328168.tif 000006